(57)【要約】      （修正有）【課題】法面小段部の既設排水溝に対し大規模な工事を行うことなく排水処理能力を増大させることができると共に、軽量且つ容易に運搬可能な部材のため重機等も必要とせず、また大掛かりな足場を設けなくても法面小段部に新規排水溝を容易に構築することが可能な排水路構造及びその構築方法を提供する。【解決手段】法面Ｓの小段部ＢにＵ字ブロック１１を埋設して設けた既設排水溝を少なくとも覆うように敷設された水平補強鉄筋１２と、既設排水溝の中に下部が配設された複数本のアンカー鉄筋１３と、水平補強鉄筋１２の少なくとも法尻側に立設された鉛直補強鉄筋１４と、鉛直補強鉄筋１４の両側に鉛直補強鉄筋１４を挟むように設置された一対の金網状型枠１５ａ，１５ｂとを備え、既設排水溝、小段部Ｂ表面および一対の金網状型枠１５ａ，１５ｂに向けて排水溝構築用モルタル１７を吹き付けて新規排水溝１を構築する。【選択図】図７
2020045612.tif 000002
【特許請求の範囲】
【請求項１】
法面の小段部に埋設された既設排水溝を少なくとも覆うように敷設された水平補強鉄筋と、
前記既設排水溝の中に下部が配設された複数本のアンカー鉄筋と、
前記水平補強鉄筋の少なくとも法尻側に立設された複数本の鉛直補強材と、
前記複数本の鉛直補強材を挟むようその両側に設置した一対の金網状型枠とを備え、
前記既設排水溝、前記小段部表面および前記一対の金網状型枠に向けてコンクリート又はモルタルを吹き付けて新規排水溝を構築したことを特徴とする法面小段部の排水路構造。
【請求項２】
請求項１記載の法面小段部の排水路構造において、
前記一対の金網状型枠は、互いを連結する連結部材を介して折り畳み自在に構成されていることを特徴とする法面小段部の排水路構造。
【請求項３】
請求項１記載の法面小段部の排水路構造において、
前記複数本の鉛直補強材は、金網状型枠であり、その両側の前記一対の金網状型枠に対し連結部材を介して折り畳み自在に連結して構成されていることを特徴とすることを特徴とする法面小段部の排水路構造。
【請求項４】
請求項１〜請求項３のいずれか一の請求項に記載の法面小段部の排水路構造において、
前記水平補強鉄筋の少なくとも法尻側の端部は、前記鉛直補強材および前記一対の金網状型枠を設置した際にそれらの側面に接するように上方向に折り曲げられていることを特徴とする法面小段部の排水路構造。
【請求項５】
法面の小段部に設けられた既設排水溝を少なくとも覆うように小段部の表面上に水平補強鉄筋を敷設すると共に、前記既設排水溝の長手方向に複数本のアンカー鉄筋を配置して各アンカー鉄筋の上部を前記水平補強鉄筋の一部に連結し各アンカー鉄筋の下部を前記既設排水溝の中に配設する一方、
前記水平補強鉄筋の少なくとも法尻側に複数本の鉛直補強材を立設すると共に、前記複数本の鉛直補強材を挟むようその両側に一対の金網状型枠を設置し、
前記既設排水溝、前記小段部表面および前記一対の金網状型枠に向けてコンクリート又はモルタルを吹き付けて前記既設排水溝の上に新規排水溝を構築することを特徴とする法面小段部の排水路構造の構築方法。
【発明の詳細な説明】
【技術分野】
【０００１】
本発明は、法面小段部の排水路構造に関し、特に、法面の小段部に埋設された既設排水溝を利用した法面小段部の排水路構造およびその構築方法に関する。
【背景技術】
【０００２】
切土や盛土によって形成された法面には、例えば、格子状のコンクリート法枠を構築するなどして斜面全体の安定化が図られる。その際、法面が長大であると降雨によりその下方では法面上を流下する雨水量や速度が増加し洗掘力が大きくなって法面の表層部を侵食してしまうことを防止するため、防災上や維持管理上といった観点から高さ方向約５ｍ〜１０ｍごとに水平な小段部が設けられる。
【０００３】
その小段部には、前述した法面上を流下する雨水や湧水等が下方の法面に流下・拡大して土壌浸食（エロージョン）や斜面崩壊を起こすことを防止するために、コンクリート二次製品のＵ字ブロックにより排水溝（小段排水路）を設ける一方、法面には、法肩側から法尻側へ向かう排水路（縦排水路）を横方向に所定間隔毎に複数設けて、各排水溝（小段排水路）内を流れる雨水等が排水路（縦排水路）に集水され、その縦排水路から外部に排水するように排水路構造を構成している。
【０００４】
一方、近年は“ゲリラ豪雨”と呼ばれる短時間且つ局地的に猛烈な雨が降ることにより、土石流や崖崩れが多く発生している。これは、当初想定した小段排水路の排水能力（容量）を超えた水量が一度に流れ込むことも一因であり、容量を超えて小段排水路から溢れ出した雨水等は下方の法面に流下して土壌を浸食し、延いては、斜面の崩壊に繋がることになる。また、日本各地の法面に構築した小段排水路は、構築から既に長い年月が経っており、その中（水路内）に土砂や枝葉類、ゴミ等が堆積することで、排水能力の低下（容量の減少）や通水性の悪化に繋がり、これらの点も雨水等が溢れ出す要因となっている。
【０００５】
そのため、法面における既設の排水路の上記問題点を解決するべく、雨水を一時貯留する貯留部内にサイフォン誘発器を設けると共に、上端部をサイフォン誘発器に接続した配水管を設けることによって排水処理能力を増大させた雨水排水システム（例えば、特許文献１を参照。）や、法面から小段部にかけて小段排水路を跨ぐ網目状部材を傾斜状に配した法面排水構造（例えば、特許文献２を参照。）等が提案されている。
【先行技術文献】
【特許文献】
【０００６】
【特許文献１】特開２０１８−８０５６６号公報
【特許文献２】特開２０１７−１４８６３号公報
【発明の概要】
【発明が解決しようとする課題】
【０００７】
しかしながら、上述の特許文献１に記載の従来技術は、システム構築のために法面小段部の既設排水溝に対し大規模な改修工事が必要であり、コストや時間がかかるという問題がある。
【０００８】
しかも、既に法面周辺の道路が整備され、その道路が使用されている状況下で長期間、材料搬入や重機用としてのスペース（道路）を確保することや、施工用の足場などを設けることは、その道路の利用を阻害することになり、大規模な改修工事は困難である。
【０００９】
また、上述の特許文献２に記載の従来技術は、排水能力自体は工事当初から増大させるものではないため、小段排水路内に土砂やゴミ等が堆積することによる排水能力低下や通水性悪化の問題は解決できるものの、ゲリラ豪雨等により排水能力を超えた水量が小段排水路に流れ込んで溢れ出してしまうことの問題は何ら解決できない。
【００１０】
なお、小段部の排水路の処理能力を増大させるために、既設のものより大型の排水溝に取り替えることも考えられるが、排水溝はコンクリート製の重量物であるため（特許文献１、段落〔０００６〕参照）。）、大規模な改修工事が必要となり、上述の特許文献１に記載の従来技術と同様に、材料搬入や施工が大変で、作業効率が低下するなどの問題がある。
【００１１】
そこで、本発明はこのような問題点に鑑みなされたもので、法面小段部の既設排水溝に対し大規模な工事を行うことなく排水処理能力を増大させることができると共に、軽量且つ容易に運搬可能な部材のため重機等も必要とせず、また大掛かりな足場を設けなくても法面小段部に新規排水溝を容易に構築することが可能な法面小段部の排水路構造およびその構築方法を提供することを目的とする。
【課題を解決するための手段】
【００１２】
上記問題点を解決するため、本発明に係る法面小段部の排水路構造は、法面の小段部に埋設された既設排水溝を少なくとも覆うように敷設された水平補強鉄筋と、前記既設排水溝の中に下部が配設された複数本のアンカー鉄筋と、前記水平補強鉄筋の少なくとも法尻側に立設された複数本の鉛直補強材と、前記複数本の鉛直補強材を挟むようその両側に設置した一対の金網状型枠とを備え、前記既設排水溝、前記小段部表面および前記一対の金網状型枠に向けてコンクリート又はモルタルを吹き付けて新規排水溝を構築したことを特徴とする。
また、本発明に係る法面小段部の排水路構造では、前記一対の金網状型枠は、互いを連結する連結部材を介して折り畳み自在に構成されていることも特徴とする。
また、本発明に係る法面小段部の排水路構造では、前記複数本の鉛直補強材は、金網状型枠であり、その両側の前記一対の金網状型枠に対し連結部材を介して折り畳み自在に連結して構成されていることも特徴とする。
また、本発明に係る法面小段部の排水路構造では、前記水平補強鉄筋の少なくとも法尻側の端部は、前記鉛直補強材および前記一対の金網状型枠を設置した際にそれらの側面に接するように上方向に折り曲げられていることも特徴とする。
また、本発明に係る法面小段部の排水路構造の構築方法は、法面の小段部に設けられた既設排水溝を少なくとも覆うように小段部の表面上に水平補強鉄筋を敷設すると共に、前記既設排水溝の長手方向に複数本のアンカー鉄筋を配置して各アンカー鉄筋の上部を前記水平補強鉄筋の一部に連結し各アンカー鉄筋の下部を前記既設排水溝の中に配設する一方、前記水平補強鉄筋の少なくとも法尻側に複数本の鉛直補強材を立設すると共に、前記複数本の鉛直補強材を挟むようその両側に一対の金網状型枠を設置し、前記既設排水溝、前記小段部表面および前記一対の金網状型枠に向けてコンクリート又はモルタルを吹き付けて前記既設排水溝の上に新規排水溝を構築することを特徴とする。
を特徴とする。
【発明の効果】
【００１３】
本発明では、法面の小段部に設けられた既設排水溝を少なくとも覆うように小段部の表面上に水平補強鉄筋を敷設すると共に、既設排水溝の長手方向に複数本のアンカー鉄筋を配置して各アンカー鉄筋の上部を水平補強鉄筋の一部に連結し各アンカー鉄筋の下部を既設排水溝の中に配設する一方、水平補強鉄筋の少なくとも法尻側に複数本の鉛直補強材を立設すると共に、複数本の鉛直補強材を挟むようその両側に一対の金網状型枠を設置し、既設排水溝、小段部表面および金網状型枠にコンクリート又はモルタルを吹き付けて法面小段部に新規排水溝を構築する。
そのため、本発明によれば、法面小段部に埋設した既設排水溝に対し大規模な工事を行うことなく排水処理能力を増大させることができると共に、軽量且つ容易に運搬可能な部材のため重機等も必要とせず、また大掛かりな足場を設けなくても法面小段部に新規排水溝を容易に構築することができる。
【図面の簡単な説明】
【００１４】
【図１】本発明に係る実施形態の法面小段部の排水路構造の構築例を示す断面図である。
【図２】法面の小段部の既設排水溝を少なくとも覆うように水平補強鉄筋を敷設した状態を示す小段部の要部拡大図である。
【図３】本発明に係る実施形態の法面小段部の排水路構造およびその構築方法で使用する水平補強鉄筋の平面図である。
【図４】下部が既設排水溝の中に入るように複数本のアンカー鉄筋を配設すると共に、水平補強鉄筋の法尻側に複数本の鉛直補強材を立設した状態を示す小段部の要部拡大図である。
【図５】水平補強鉄筋の法尻側に立設した複数本の鉛直補強材を挟むようその両側に一対の金網状型枠を設置した状態を示す小段部の要部拡大図である。
【図６】水平補強鉄筋の法尻側に立設した複数本の鉛直補強材を挟むようその両側に一対の金網状型枠を設置した状態を示す要部斜視図である。
【図７】鉛直補強材の両側に一対の金網状型枠を設置後、既設排水溝、小段部表面および一対の金網状型枠に向けてコンクリート又はモルタルを吹き付けて既設排水溝の上に新規排水溝を構築した小段部の要部拡大図である。
【図８】鉛直補強鉄筋の代わりに金網状型枠を使用した三層で折畳み式の金網状型枠を水平補強鉄筋の法尻側に立設した状態を示す小段部の要部拡大図である。
【図９】水平補強鉄筋の法尻側に三層で折畳み式の金網状型枠を設置後、既設排水溝、小段部表面および三層で折畳み式の金網状型枠に向けてコンクリート又はモルタルを吹き付けて既設排水溝の上に新規排水溝を構築した小段部の要部拡大図である。
【発明を実施するための形態】
【００１５】
次に、本発明に係る法面小段部の排水路構造およびその構築方法の実施形態について説明する。尚、下記に説明する実施形態は、あくまで本発明の一例であり、本発明は下記の実施形態に限定されるものではなく、本発明の技術思想の範囲内で適宜変更可能である。
【００１６】
本実施形態の法面小段部の排水路構造は、図１に示すように、法面Ｓの小段部Ｂにコンクリート製の周知のＵ字ブロック１１を埋設して設けた従来の既設排水溝１’（図２等参照。）を利用し、その上に当該既設排水溝１’よりも貯留量ないしは排水能力（容積）を大きく増大させた新規排水溝１を構築した排水路構造であり、以下、その構築方法および詳細な構造について図面を参照しながら説明する。尚、本実施形態においても、法面Ｓには、法肩側から法尻側へ向かう縦方向の排水路（縦排水路）を所定間隔毎に複数設け、新規排水溝１内を流れる雨水等を排水路（縦排水路）に集水して排水するが、排水路（縦排水路）については従来のものと変わらないので説明を省略する。
【００１７】
（水平補強鉄筋１２の敷設およびアンカー鉄筋１３の配設）
本実施形態の法面小段部の排水路構造の構築方法では、まず、図２に示すようにＵ字ブロック１１を小段部Ｂに埋め込む等して設けた従来の既設排水溝１’を少なくとも覆うように小段部Ｂの表面上に木片やプラスチック片、コンクリートブロック等のスペーサー１６等を介し小段部Ｂの表面から浮かして水平補強鉄筋１２を敷設する。
【００１８】
水平補強鉄筋１２は、例えば、図３に示すように平面視、法肩から法尻方向に延びる長さが異なる縦棒鋼１２ａ１〜１２ａ３と、縦棒鋼１２ａ１〜１２ａ３に対し直交する横棒鋼１２ｂを格子状に溶接した市販の溶接金網等を使用し、縦棒鋼１２ａ１〜１２ａ３の法尻側は図２等に示すように所定長さだけ上方に折り曲げている。尚、水平補強鉄筋１２の升目の大きさは、最後に吹付けるコンクリート又はモルタル（以下、排水溝構築用モルタルと総称する。）１７等が円滑に各升目を通る大きさとする。
【００１９】
ここで、縦棒鋼１２ａ１〜１２ａ３の長さを変え、かつ、法尻側を上方へ所定長さだけ折り曲げた理由は、後述するように鉛直補強鉄筋１４や金網状型枠１５ａ，１５ｂを作業性良く立設させるためである。
【００２０】
つまり、図３等に示すように縦棒鋼１２ａ１〜１２ａ３の内、最長の縦棒鋼１２ａ１は、法尻側の金網状型枠１５ａの設置位置に応じて長く、次に長い縦棒鋼１２ａ２は、一対の金網状型枠１５ａ，１５ｂの間に立設する鉛直補強鉄筋１４の設置位置に応じた中間長さであり、最短の縦棒鋼１２ａ３は、法肩側の金網状型枠１５ｂの設置位置に応じて短くしている。
【００２１】
（アンカー鉄筋１３の配設）
次に、本実施形態の法面小段部の排水路構造の新規排水溝１が既設排水溝１’の構造を利用して構築できるよう、図４や図６等に示すようにＵ字ブロック１１によって形成されている既設排水溝１’の中に、その長手方向に所定間隔で複数本のアンカー鉄筋１３を配置する。
【００２２】
アンカー鉄筋１３は、水平部１３ａと鉛直部１３ｂとを有するＬ字形状の鉄筋から構成されており、水平部１３ａは水平補強鉄筋１２の縦棒鋼１２ａ１〜１２ａ３等に番線（図示せず。）等によって結束して連結したり、あるいは溶接等によって連結する。すると、鉛直部１３ｂは、そのほとんどが既設排水溝１’の中に配設されることになる。尚、ここでは、図４〜図６等に示すように既設排水溝１’の長手方向に所定間隔で配設した複数のアンカー鉄筋１３の鉛直部１３ｂを水平方向に延びる水平補助鉄筋１３ｃによって連結しているが、水平補助鉄筋１３ｃによる連結は省略しても良い。
【００２３】
（鉛直補強鉄筋１４の立設および一対の金網状型枠１５ａ，１５ｂの設置）
次に、水平補強鉄筋１２の少なくとも法尻側に、図４や図６に示すように既設排水溝１’の長手方向に所定間隔で鉛直補強鉄筋１４を立設すると共に、図５に示すように鉛直補強鉄筋１４の両側に鉛直補強鉄筋１４を挟むように一対の金網状型枠１５ａ，１５ｂを設置する。
【００２４】
その際、水平補強鉄筋１２を構成する縦棒鋼１２ａ１〜１２ａ３それぞれの法尻側端部は、鉛直補強鉄筋１４および金網状型枠１５ａ，１５ｂの設置位置近傍で上方へ所定長さ折り曲げて構成されているため、鉛直補強鉄筋１４および金網状型枠１５ａ，１５ｂ下端部を番線や溶接等によって容易に固定して立設させることができる。
【００２５】
特に、一対の金網状型枠１５ａ，１５ｂ同士を連結する連結部材１５ｃは、両端部にリング部（図示せず。）等が形成されており、その両端部のリング部（図示せず。）を金網状型枠１５ａ，１５ｂを構成する網線等に回転自在に遊嵌して、一対の金網状型枠１５ａ，１５ｂを折り畳み自在に構成している。尚、折畳み式の金網状型枠の構造は、例えば、特開２０１２−０９７４４１号公報や特開２０１２−１１２０９３号公報等に開示されており、周知なものである。
【００２６】
そのため、作業者は一対の金網状型枠１５ａ，１５ｂを折畳んだ状態で設置現場まで運び、設置現場に到着した際に一対の金網状型枠１５ａ，１５ｂを拡げて、縦棒鋼１２ａ１，１２ａ３の法尻側端部に容易に固定して立設させることができる。
【００２７】
また、一対の金網状型枠１５ａ，１５ｂの内、外側すなわち法尻側となる金網状型枠１５ａの下端部は、小段部Ｂのコンクリート面に当接するように内側である法肩側の金網状型枠１５ｂよりも下端部の長さを長く形成している。
【００２８】
そのため、最後に一対の金網状型枠１５ａ，１５ｂ等に向けて排水溝構築用モルタル１７を吹き付ける際に、金網状型枠１５ａの外側に排水溝構築用モルタル１７が流れ出すことを効果的に防止することができる。
【００２９】
尚、本実施形態では、図５や図６等に示すように、水平補強鉄筋１２を構成する縦棒鋼１２ａ１〜１２ａ３の法尻側端部に鉛直補強鉄筋１４および一対の金網状型枠１５ａ，１５ｂを立設した後、複数本の鉛直補強鉄筋１４同士や一対の金網状型枠１５ａ，１５ｂを折畳み可能に連結している連結部材１５ｃを２段の水平補助鉄筋１４ａで連結しているが、この水平補助鉄筋１４ａによる連結も省略しても良い。また、法尻側の金網状型枠１５ａは法肩側の金網状型枠１５ｂよりも下端部の長さを長く形成しているが、これら一対の金網状型枠１５ａ，１５ｂの長さを同じとし、別途用意した金網状型枠を金網状型枠１５ａの下端部に連結させてその長さを長く形成させても良い。
【００３０】
（排水溝構築用モルタル１７の吹き付け）
以上の作業によって、例えば、図６に示すように小段部Ｂの上に新規排水溝１の骨組みの設置が完了すると、続いて作業者は、図７に示すように既設排水溝１’、小段部Ｂ表面、一対の金網状型枠１５ａ，１５ｂ等に向けて排水溝構築用モルタル１７を吹き付ける。
【００３１】
すると、既設排水溝１’は吹き付けた排水溝構築用モルタル１７で埋まり、小段部Ｂ表面がほぼ平らになると共に、水平補強鉄筋１２やアンカー鉄筋１３等が骨組みとなって小段部Ｂ上に新規排水溝１の底壁１８が完成する一方、小段部Ｂの法尻側では鉛直補強鉄筋１４および金網状型枠１５ａ，１５ｂが骨組みとなって新規排水溝１１の側壁１９が完成する。
【００３２】
尚、新規排水溝１は、図７に示すように、吹き付けた排水溝構築用モルタル１７によって形成された底壁１８および側壁１９と、その側壁１９に対向する法肩側の法枠２下部によって構成される。
【００３３】
そのため、Ｕ字ブロック１１による従来の既設排水溝１’の断面と、図７に示す新規排水溝１の断面とを比較すれば明らかなように、新規排水溝１の方が既設排水溝１’よりも数倍も貯水能力ないしは排水能力（容積）を向上させることができる。
【００３４】
従って、本実施形態の法面小段部の排水路構造およびその構築方法によれば、Ｕ字ブロック１１による従来の既設排水溝１’に対し大規模な工事を行うことなく排水処理能力を増大させた新規排水溝１を構築することができると共に、新規排水溝１を構築するための骨組みも水平補強鉄筋１２やアンカー鉄筋１３、鉛直補強鉄筋１４および一対の金網状型枠１５ａ，１５ｂ等の軽量且つ容易に運搬可能な部材で済むため、重機等も必要とせず、また大掛かりな足場を設けなくても新規排水溝１を容易に構築することができる。
【００３５】
特に、本実施形態の法面小段部の排水路構造およびその構築方法では、新規排水溝１の側壁１９の骨組みとなる一対の金網状型枠１５ａ，１５ｂは、互いを連結する連結部材１５ｃを介して折り畳み自在に構成している。
【００３６】
そのため、作業者は一対の金網状型枠１５ａ，１５ｂを折畳んだ状態で設置現場まで運び、設置現場に到着した際に一対の金網状型枠１５ａ，１５ｂを拡げることによって、水平補強鉄筋１２の法尻側端部に容易に立設することができるので、この点でも新規排水溝１を容易に構築することができる。
【００３７】
また、本実施形態の法面小段部の排水路構造およびその構築方法では、水平補強鉄筋１２を構成する縦棒鋼１２ａ１〜１２ａ３の法尻側端部は、鉛直補強鉄筋１４および金網状型枠１５ａ，１５ｂの設置位置近傍で上方へ所定長さ折り曲げて構成している。
【００３８】
そのため、鉛直補強鉄筋１４および金網状型枠１５ａ，１５ｂは、それらの下端部を水平補強鉄筋１２の縦棒鋼１２ａ１〜１２ａ３の法尻側端部の上方へ折り曲げられた部分に番線や溶接等によって容易に固定して立設させることができるので、この点でも新規排水溝１を容易に構築することができる。
【００３９】
また、本実施形態では、片側である法尻側にのみ鉛直補強鉄筋１４および金網状型枠１５ａ，１５ｂを立設して新規排水溝１の側壁１９を設け、小段部Ｂの法肩側には新規排水溝１の側壁を設けないようにしている。
【００４０】
そのため、本実施形態によれば、小段部Ｂの法尻側および法肩側の両側に新規排水溝１の側壁を設ける場合と比較して、法肩側の側壁の分だけ鉛直補強鉄筋１４および金網状型枠１５ａ，１５ｂ等の骨組みの量が減ると共に吹き付ける排水溝構築用モルタル１７の量も減るので、作業時間やコストを低減できると共に、新規排水溝１の貯水能力ないしは排水能力（容積）を向上させることができ、さらには法肩側の法面Ｓと法肩側の新規排水溝１の側壁との間の溝部に枯れ葉や砕石等のごみが滞留することも防止できる。
【００４１】
尚、本実施形態の説明では、鉛直補強材である鉛直補強鉄筋１４と一対の金網状型枠１５ａ，１５ｂとは別々の部材で説明したが、例えば、図８に示すように鉛直補強鉄筋１４の代わりに金網状型枠１５ｄを使用して、一対の金網状型枠１５ａ，１５ｂ間に鉛直補強材である金網状型枠１５ｄを介在させ、金網状型枠１５ａと金網状型枠１５ｄとを、連結部材１５ｃと同様に両側にリング部（図示せず。）を設けた連結部材１５ｃ’を使用して金網状型枠１５ａと金網状型枠１５ｄとを折畳み可能に構成すると共に、金網状型枠１５ｂと金網状型枠１５ｄとも、両側にリング部（図示せず。）を設けた連結部材１５ｃ’を使用して金網状型枠１５ｂと金網状型枠１５ｄとを折畳み可能に構成した３層構造の金網状型枠１５ａ，１５ｂ，１５ｄを水平補強鉄筋１２の法尻側端部に立設して、その後、図９に示すように既設排水溝１’、小段部Ｂ表面、３層構造の金網状型枠１５ａ，１５ｂ，１５ｄ等に向けて排水溝構築用モルタル１７を吹き付けて新規排水溝１を構築するようにしても勿論良い。
【００４２】
また、本実施形態では、小段部Ｂの法尻側にのみ鉛直補強鉄筋（鉛直補強材）１４および金網状型枠１５ａ，１５ｂを立設して側壁１９を設けるように説明したが、本発明ではこれに限らず、小段部Ｂの法尻側および法肩側の両側に金網状型枠１５ａ，１５ｂを立設して側壁１９を法尻側および法肩側の両側に構築するようにしても勿論良い。ただし、この場合には、法尻側および法肩側の側壁１９と底壁１８とに囲まれた体積が法面小段部の排水路構造の排水能力（容量）となるので、上述した小段部Ｂの法尻側にのみ側壁１９を設け、法肩側の法枠２下端部を他方の側壁として代用する場合と比べ、排水能力（容量）が低下すると共に、法肩側の側壁と法肩側の法枠２下端部との間の凹部（溝部）に石やゴミ等が滞留したり、法肩側の側壁の分だけ鉛直補強鉄筋１４および金網状型枠１５ａ，１５ｂ等の骨組みの量や吹き付ける排水溝構築用モルタル１７の量が増大することになる。
【００４３】
また、本実施形態では、水平補強鉄筋１２は、長さが異なり、かつ、法尻側端部を所定長さだけ上方に折り曲げた縦棒鋼１２ａ１〜１２ａ３により構成して説明したが、本発明では、これに限らず、縦棒鋼１２ａ１〜１２ａ３全ての長さが同一で、また法尻側端部が上方へ折り曲げていない市販の網状鉄筋等をそのまま使用しても勿論良い。また、アンカー鉄筋１３も水平部１３ａと鉛直部１３ｂとを有するＬ字形状の鉄筋で説明したが、本発明ではこれに限らず、通常の直線状のアンカー鉄筋をそのまま使用しても勿論良い。また、本発明の法面小段部の排水路構造は、法面の表面保護工の形態によっては、落石等の防護壁としても適用可能である。
【符号の説明】
【００４４】
１…新規排水溝、１’…既設排水溝、１１…Ｕ字ブロック、１２…水平補強鉄筋、１２ａ１〜１２ａ３…縦棒鋼、１２ｂ…横棒鋼、１３…アンカー鉄筋、１３ａ…水平部、１３ｂ…鉛直部、１３ｃ…水平補助鉄筋、１４…鉛直補強鉄筋（鉛直補強材）、１４ａ…水平補助鉄筋、１５ａ，１５ｂ…金網状型枠、１５ｃ，１５ｃ’…連結部材、１５ｄ…金網状型枠（鉛直補強材）、１６…スペーサー、１７…排水溝構築用モルタル（コンクリート又はモルタル）、１８…底壁、１９…側壁、２…法枠、Ｂ…小段部、Ｓ…法面。
【図１】
2020045612.tif 000003
【図２】
2020045612.tif 000004
【図３】
2020045612.tif 000005
【図４】
2020045612.tif 000006
【図５】
2020045612.tif 000007
【図６】
2020045612.tif 000008
【図７】
2020045612.tif 000009
【図８】
2020045612.tif 000010
【図９】
2020045612.tif 000011